(57)【特許請求の範囲】
【請求項１】
携帯型電子機器と他の外部装置とを電気的に接続する携帯型電子機器の接続装置であって、
一端面に斜面が形成された本体部と、一端面に前記本体部の前記斜面に対して係合状態で回転する斜面が形成され且つ他端面に前記携帯型電子機器を着脱可能に装着する為の開口が形成された装着部とからなり、
前記本体部の前記斜面と前記装着部の前記斜面とは、前記装着部を前記本体部に対して連続するほぼ水平な状態で、その対角がそれぞれ約２５°から４５°の角度の間のいずれかに形成されており、
前記装着部が前記本体部の前記斜面に対して回転することにより、前記装着部を前記本体部に対して連続するほぼ水平な状態と前記本体部に対して起立する状態とに変位させることを特徴とする携帯型電子機器の接続装置。
【請求項２】
前記接続装置は、前記携帯型電子機器と前記外部装置との両者のデータ内容を同一の内容にするデータシンクロナイズ機能を動作させる際のデータの送受信機能を備えていることを特徴とする請求項１に記載の携帯型電子機器の接続装置。
【請求項３】
前記接続装置は、外部装置から供給される外部電圧を前記携帯型電子機器の使用電圧に変換して前記携帯型電子機器に供給して充電させる充電機能を備えていることを特徴とする請求項１に記載の携帯型電子機器の接続装置。
【請求項４】
前記接続装置は、外部装置から供給される電圧を前記携帯型電子機器に供給して充電させる充電機能を備えていることを特徴とする請求項１に記載の携帯型電子機器の接続装置。
【発明の詳細な説明】
【０００１】
【発明の属する技術分野】
この発明は、携帯型電子機器の接続装置に関する。
【０００２】
【従来の技術】
従来、携帯型電子機器としては、ＰＤＡ（パーソナル・デジタル・アシスタンツ）、携帯型電話機、電子カメラ、携帯型パーソナルコンピュータ、ゲーム機などがあり、これらのいずれにおいても、情報を表示する表示部を備えている。
このような携帯型電子機器においては、外部機器、例えばデスクトップ型のパーソナルコンピュータなどの情報処理装置とデータの授受を行ったり、あるいは家庭用の電源コンセントで携帯型電子機器の電源を充電したりしている。
【０００３】
この場合、デスクトップ型のパーソナルコンピュータなどの情報処理装置と携帯型電子機器との間でデータの授受を行う場合には、その両者のデータ内容を同一の内容しておくデータシンクロナイズ機能を備えたクレードルと呼ばれるインターフェイスボックスが必要で、このインターフェイスボックスを中継用の接続装置として用いてデータの授受を行っている。
また、携帯型電子機器の電源を充電する場合には、家庭用のＡＣ電圧を携帯型電子機器の使用電圧に変換して出力する充電装置が必要で、この充電装置を電圧変換用の接続装置として用いて充電している。
【０００４】
【発明が解決しようとする課題】
ところで、このような携帯型電子機器では、インターフェイスボックスを用いてデータの授受を行うとき、または充電装置を用いて充電するときに、その状況を確認するために、携帯型電子機器の表示部を見る必要がある。このため、インターフェイスボックスや充電装置などの接続装置は、表示部が見やすいように携帯型電子機器を起立させた状態で装着出来るように構成されている。
【０００５】
しかしながら、このような接続装置では、携帯型電子機器を起立させるために、どうしても立体的な形状にならざるを得ず、このため使用しないときに、邪魔になるばかりか、梱包性が悪く、メーカから販売店やユーザに運送する際にかさばるため、運搬性が悪いという問題がある。
また、このような接続装置では、卓上などの載置面に配置して使用するときに、載置面に対する接続装置の接触面積が小さいと、接続装置が不安定な起立状態になるため、どうしても接触面積を大きくしなければならず、このため載置面上の作業スペースが狭くなるという問題もある。
【０００６】
この発明の課題は、使用するときに狭い設置スペースで携帯型電子機器を安定させて起立させることができ、使用しないときにコンパクトになる携帯型電子機器の接続装置を提供することである。
【０００７】
【課題を解決するための手段】
この発明の接続装置は、携帯型電子機器と他の外部装置とを電気的に接続する携帯型電子機器の接続装置であって、一端面に斜面が形成された本体部と、一端面に前記本体部の前記斜面に対して係合状態で回転する斜面が形成され且つ他端面に前記携帯型電子機器を着脱可能に装着する為の開口が形成された装着部とからなり、前記本体部の前記斜面と前記装着部の前記斜面とは、前記装着部を前記本体部に対して連続するほぼ水平な状態で、その対角がそれぞれ約２５°から４５°の角度の間のいずれかに形成されており、前記装着部が前記本体部の前記斜面に対して回転することにより、前記装着部を前記本体部に対して連続するほぼ水平な状態と前記本体部に対して起立する状態とに変位させることを特徴とする。
【０００８】
この発明によれば、携帯型電子機器が着脱可能に装着する装着部を本体部の斜面に対して回転させることにより、装着部が本体部に対して連続するほぼ水平な状態と本体部に対して起立する状態とに変位するので、携帯型電子機器を装着部に装着して使用する場合には、装着部を本体部に対し起立させることにより、狭い設置スペースで携帯型電子機器を安定させて起立させることができ、また使用しないときには、装着部を本体部に対し連続するほぼ水平な状態にすることにより、装置全体をコンパクトにすることができ、更に、前記本体部の前記斜面と前記装着部の前記斜面とは、前記装着部を前記本体部に対し連続するほぼ水平な状態で、その対角がそれぞれ約２５°から４５°の角度のいずれかに形成されていることにより、装着部を本体部に対し起立させると、装着部が本体部側に向けて約５０°から９０°の角度のうちのいずれかで傾いて起立するので、卓上などの載置面との接触面積が小さくても、携帯型電子機器を安定した状態で確実に起立させることができる。
【０００９】
請求項２に記載のごとく、前記接続装置は、前記携帯型電子機器と前記外部機器との両者のデータ内容を同一の内容にするデータシンクロナイズ機能を動作させるときに用いられるもので、携帯型電子機器を装着部に装着させて起立させた状態で、この携帯型電子機器と外部機器との両者の間でデータの授受を良好に行うことができる。
【００１０】
さらに、請求項３に記載のごとく、前記接続装置は、例えば家庭のＡＣ（交流）電圧等のような外部電圧を前記携帯型電子機器の使用電圧に変換する充電機能を備えていることにより、携帯型電子機器を装着部に装着させて起立させた状態で、携帯型電子機器の電源を家庭用の電源で良好に充電することができる。
さらにまた、請求項４に記載のごとく、前記接続装置は、例えば家庭のＡＣ（交流）電圧を前記携帯型電子機器の使用電圧に変換する電圧変換装置のような外部装置からの電圧を前記携帯型電子機器に供給して充電させる充電機能を備えていることにより、携帯型電子機器を装着部に装着させて起立させた状態で、携帯型電子機器の電源を家庭用の電源で良好に充電することができる。
【００１１】
【発明の実施の形態】
以下、図１〜図４を参照して、この発明の接続装置の一実施形態について説明する。
図１はこの発明の接続装置を使用しないときの外観斜視図、図２は図１の接続装置を使用するときの外観斜視図、図３は図１のＡ−Ａ矢視における断面図、図４は図２のＢ−Ｂ矢視における断面図である。
この接続装置１は、図４に示すように、携帯型電子機器２が着脱可能に装着され、この装着された携帯型電子機器２と外部装置（図示せず）とを電気的に接続するように構成されている。この場合、上記携帯型電子機器２としては、例えばＰＤＡ（パーソナル・デジタル・アシスタンツ）、携帯型電話機、電子カメラ、携帯型パーソナルコンピュータ、ゲーム機などが使用可能であり、又、これら以外の携帯型電子機器であってもよく、いずれにおいても情報を表示する表示部を備えている。外部装置は、接続装置１が、例えばデータの送受信の接続装置であれば、例えばデスクトップ型のパーソナルコンピュータなどの情報処理装置である。また、接続装置１が、例えば携帯型電子機器２を充電させる機能を備えた接続装置であれば、上記外部装置は、家庭のＡＣ電源のコンセント、或いは、電圧変換アダプタなどである。
【００１２】
上記接続装置１は、図１および図２に示すように、左端面が第１斜面３ａに形成された本体部３と、この本体部３の前記第１斜面３ａに対し係合状態で回転可能に取り付けられて携帯型電子機器２が着脱可能に装着される装着部４とからなり、図１に示す状態、つまり接続装置１を使用しない状態のときにほぼ平板状の箱形をなすように構成されている。すなわち、本体部３は中空状のケースであり、その左端面の第１斜面３ａは、約３０°の角度で右上がりに傾斜している。図３は、図１のＡＡ線断面図で有り、即ち、接続装置１の横方向の中心部での断面図である。図３に示すように、第１斜面３ａの中心部には、円筒状の軸部５が本体部３の内部から外部に突出した状態で回転自在に取り付けられている。この軸部５は、その下部外周に鍔部５ａが設けられ、この鍔部５ａにより外部に抜け出さないように第１斜面３ａの内面に係止されている。
【００１３】
装着部４は、図３に示すように、左端部側に開放された開口４ｂを有する中空状のケースであり、その右端面が本体部３の第１斜面３ａに対応する第２斜面４ａに形成されている。この第２斜面４ａは、第１斜面３ａと同じ角度、つまり約３０°の角度で左下がりに傾斜している。すなわち、装着部４の第２斜面４ａと本体部３の第１斜面３ａとは、図３に示すように、装着部４が本体部３に対して連続するほぼ水平な状態で、その対角がそれぞれ約３０°の角度で形成されている。この第２斜面４ａの中心部は、本体部３の第１斜面３ａから突出した軸部５が挿入して取付板５ｂにより回転自在に取り付けられている。これにより、装着部４は、その第２斜面４ａが本体部３の第１斜面３ａに対面した状態で、軸部５を中心に１８０°回転することにより、図１および図３に示すように本体部３に対して連続するほぼ水平な状態と、図２および図４に示すように本体部３に対して起立する状態とに変位するように構成されている。
【００１４】
本体部３内には、図１〜図４に示すように、外部コネクタ６が右側面から外部に露出して設けられている。この外部コネクタ６は、デスクトップ型のパーソナルコンピュータなどの情報処理装置である外部装置（図示せず）のデータ入出力端子からの配線の端子部と電気的に接続される。また、この本体部３内における底部上には、図３および図４に示すように、本体側基板７が設けられており、この本体側基板７上には、コード接続部８が設けられている。
一方、装着部４には、図４に示すように、本体部３に対して起立した状態で、開放された上端部側（図３では左端部側）の開口４ｂから携帯型電子機器２が挿入される。この装着部４内には、挿入する携帯型電子機器２をガイドするガイド板９が互いに対向して形成されている。これらガイド板９は、図４において各上端部が装着部４の内面に固定され、各下端部が互いに接近するように傾斜し、挿入された携帯型電子機器２によって互いに押し広げられる方向にそれぞれ弾性変形するように構成されている。
【００１５】
また、装着部４内には、図４に示すように、装着側基板１０がガイド板９の下側（図３では右側）に位置して設けられている。この装着側基板１０の上面（図３では左側面）には、装着された携帯型電子機器２の接続端子部２ａが電気的に接続される機器側コネクタ１１が設けられており、この装着側基板１０の下面（図３では右側面）には、入出力用のインターフェイス回路、つまり携帯型電子機器２と外部機器との両者のデータ内容を同一の内容にするデータシンクロナイズを機能を動作させるための電子回路部１２が設けられている。そして、本体部３内の本体側基板７に設けられたコード接続部８と装着部４内の装着側基板１０とは、図３および図４に示すように、円筒状の軸部５内を挿通する接続コード１３により電気的に接続されている。
【００１６】
次に、このような接続装置１を使用する場合について説明する。
まず、装着部４を本体部３の第１斜面３ａに対して軸部５を中心に回転させ、図２および図４に示すように、装着部４を本体部３に対して起立させる。このときには、本体部３の第１斜面３ａと装着部４の第２斜面４ａとの角度がそれぞれ約３０°であるから、装着部４が本体部３側に向けて約６０°の角度で傾いて起立する。この状態で、図４に示すように、携帯型電子機器２を上方から装着部４内に挿入すると、装着部４内のガイド板９により携帯型電子機器２がガイドされて装着部４に装着する。これにより、携帯型電子機器２が本体部３に対して傾いた状態で起立し、この携帯型電子機器２の下端部に設けられた接続部２ａが装置部４内の機器側コネクタ１１と電気的に接続される。この状態で、本体部３の外部コネクタ６に外部機器（図示せず）を電気的に接続すれば、起立した携帯型電子機器２の表示部を見ながら、携帯型電子機器２と外部機器との間でデータの授受を行うことができる。
【００１７】
このように、この接続装置１では、携帯型電子機器２が着脱可能に装着する装着部４の第２斜面４ａを本体部３の第１斜面３ａに対面させた状態で、その両者を軸部５により回転自在に取り付けたので、装着部４を本体部３の第１斜面３ａに対し回転させることにより、装着部４を図１および図３に示すように本体部３に対して連続するほぼ水平な状態と、図２および図４に示すように本体部３に対して起立する状態とに変位させることができる。このため、接続装置１を使用する場合には、図２および図４に示すように、装着部４を本体部３に対し起立させることにより、狭い設置スペースで携帯型電子機器２を安定させた状態で起立させることができる。このときには、装着部４が本体部３側に向けて約６０°の角度で傾いて起立するので、卓上などの載置面に対する接続装置１の接触面積が小さくても、携帯型電子機器２を安定した状態で確実に起立させることができる。
【００１８】
また、接続装置１を使用しないときには、図１および図３に示すように、装着部４を本体部３に対して連続するほぼ水平な状態にすると、接続装置１全体がほぼ平板状の箱形になるので、接続装置１をコンパクトにすることができる。これにより、接続装置１が邪魔にならないように、机の引出し内に収納したり、本などと同様に本箱に収納したりすることができるほか、特に接続装置１が平板状の箱形であるから、梱包性が良く、メーカから販売店やユーザに運送する際にかさばらないため、運搬性が良い。
【００１９】
なお、上記実施形態では、本体部３の第１斜面３ａと装着部４の第２斜面４ａとをそれぞれ約３０°の角度で傾斜させた場合について述べたが、これに限らず、本体部３の第１斜面３ａと装着部４の第２斜面４ａとはそれぞれ約２５°〜約４５°の範囲の角度で傾斜した構造でも良い。このようにすれば、装着部４を本体部３に対して約５０°〜約９０°の範囲で起立させることができ、これによっても携帯型電子機器２を安定させた状態で起立させることができる。
【００２０】
また、上記実施形態では、接続装置１が携帯型電子機器２と外部機器とを電気的に接続してデータの授受を行う、所謂クレードルと呼ばれるインターフェイスボックスとして用いた場合について述べたが、これに限らず、例えば接続装置１内に家庭用コンセント、タップ等から供給されるＡＣ電圧を携帯型電子機器２の使用電圧に変換する充電機能を設けて充電装置として用いても良い。或いは、ＡＣ電圧を電圧変換アダプタなどで直流電圧に変換し、この変換された電圧を携帯型電子機器２に供給する接続装置としても良い。このようにすれば、携帯型電子機器２を装着部４に装着させて起立させた状態で、携帯型電子機器２の電源を家庭用のＡＣ電源で良好に充電することができる。又、携帯型電子機器と他の外部装置との電気的接続とは、直接端子が機械的接続することには限定されず、例えば携帯型電子機器２と接続装置１の両方に夫々発光ダイオードとホトセンサとを備えさせ、両者の間でデータを光学的に送受信する間接的な接続も含まれるものである。
【００２１】
【発明の効果】
以上説明したように、この発明によれば、携帯型電子機器が着脱可能に装着する装着部を本体部の斜面に対し回転させることにより、装着部が本体部に対して連続するほぼ水平な状態と本体部に対して起立する状態とに変位するので、携帯型電子機器を装着部に装着して使用する場合には、装着部を本体部に対し起立させることにより、狭い設置スペースで携帯型電子機器を安定させて起立させることができ、また使用しないときには、装着部を本体部に対し連続するほぼ水平な状態にすることにより、装置全体をコンパクトにすることができる。
【００２２】
この場合、本体部の斜面と装着部の斜面とは、装着部を本体部に対し連続するほぼ水平な状態で、その対角がそれぞれ約３０°の角度に形成されていることにより、装着部を本体部に対し起立させると、装着部が本体部側に向けて約６０°の角度で傾いて起立するので、卓上などの載置面との接触面積が小さくても、携帯型電子機器を安定した状態で確実に起立させることができる。
また、接続装置が携帯型電子機器と外部機器との両者のデータ内容を同一の内容にするデータシンクロナイズ機能を備えていることにより、携帯型電子機器を装着部に装着させて起立させた状態で、この携帯型電子機器と外部機器との両者の間でデータの授受を良好に行うことができる。
さらに、接続装置がＡＣ電圧を携帯型電子機器の使用電圧に変換する充電機能を備えていることにより、携帯型電子機器を装着部に装着させて起立させた状態で、携帯型電子機器の電源を家庭用のＡＣ電源で良好に充電することができる。
【図面の簡単な説明】
【図１】この発明の接続装置の一実施形態において、その接続装置を使用しないときの外観斜視図。
【図２】図１の接続装置を使用するときの外観斜視図。
【図３】図１のＡ−Ａ矢視における断面図。
【図４】図２の断面図。
【符号の説明】
１  接続装置
２  携帯型電子機器
３  本体部
３ａ  第１斜面
４  装着部
４ａ  第２斜面
４ｂ  開口
５  軸部
６  外部コネクタ
１１  機器側コネクタ
１３  接続コード
【図１】
0004296723.tif 000002
【図２】
0004296723.tif 000003
【図３】
0004296723.tif 000004
【図４】
0004296723.tif 000005